(57)【要約】【課題】一連のイベントに係わる画像データを複数の記録媒体に亘って記録した場合にも、各記録媒体の順序を容易に確認できるようにする。【解決手段】記録媒体に対して画像データを記録する記録手段と、一つのグループに割り当てる複数の前記記録媒体を決定する決定手段と、前記記録媒体を識別するためのＩＤ情報を含み、前記グループにおける前記記録媒体の順序を示す順序情報を生成する生成手段と、前記ＩＤ情報に基づいて前記グループの記録媒体を識別する識別手段と、前記識別手段の識別結果と前記生成手段により生成された順序情報とに基づいて、前記グループの複数の記録媒体それぞれに対し、前記グループにおける順序を示す情報と前記グループの記録媒体の数を示す情報を記録するよう前記記録手段を制御する制御手段とを設け、複数の記録媒体に亘って記録した一連のイベントに係わる画像データの装着順序を容易に認識できるようにする。【選択図】図１
2007329895.tif 000002
【特許請求の範囲】
【請求項１】
記録媒体に対して画像データを記録する記録手段と、
一つのグループに割り当てる複数の前記記録媒体を決定する決定手段と、
前記記録媒体を識別するためのＩＤ情報を含み、前記グループにおける前記記録媒体の順序を示す順序情報を生成する生成手段と、
前記ＩＤ情報に基づいて前記グループの記録媒体を識別する識別手段と、
前記識別手段の識別結果と前記生成手段により生成された順序情報とに基づいて、前記グループの複数の記録媒体それぞれに対し、前記グループにおける順序を示す情報と前記グループの記録媒体の数を示す情報を記録するよう前記記録手段を制御する制御手段とを備えることを特徴とする記録装置。
【請求項２】
複数の前記記録媒体を一つのグループとして扱うための連続記録モードを設定する設定手段を備え、
前記決定手段は、前記設定手段により前記連続記録モードが設定されてから前記連続記録モードの設定が解除されるまでの間に、前記連続記録モードにて前記画像データが記録された複数の前記記録媒体を一つのグループに割り当てることを特徴とする請求項１に記載の記録装置。
【請求項３】
前記記録媒体に対するファイナライズ処理を指示するファイナライズ指示手段を備え、
前記制御手段は、前記ファイナライズ指示手段による指示に応じて前記連続記録モードの設定を解除することを特徴とする請求項２に記載の記録装置。
【請求項４】
前記記録媒体はＤＶＤを含み、前記制御手段は前記ファイナライズ指示に応じて、前記グループにおける順序と前記グループの記録媒体の数を示す情報をＤＶＤメニュー画面として前記ＤＶＤに記録することを特徴とする請求項１〜３の何れか１項に記載の記録装置。
【請求項５】
前記記録媒体に記録された前記ＩＤ情報を検出する検出手段を備え、前記生成手段は前記順序情報を保持する保持手段を有し、
前記検出手段により検出されたＩＤ情報が前記順序情報に含まれていなかった場合、前記検出手段により検出されたＩＤ情報を用いて前記順序情報を更新することを特徴とする請求項１〜４の何れか１項に記載の記録装置。
【請求項６】
前記記録媒体に対して記録する画像データを、被写体を撮影して生成する撮像手段を備えたことを特徴とする請求項１〜５の何れか１項に記載の記録装置。
【請求項７】
装着された記録媒体に対して画像データを記録する記録手段と、
複数の前記記録媒体を一つのグループとして扱うための連続記録モードを設定する設定手段と、
前記設定手段により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成手段と、
前記グループの記録媒体を識別する識別手段と、
前記識別手段の識別結果と前記生成手段により生成された順序情報とに基づいて、前記グループの複数の記録媒体それぞれに対し、前記グループにおける装着順序を示す情報と前記グループの記録媒体の数を示す情報とを記録するよう前記記録手段を制御する制御手段とを備えることを特徴とする記録装置。
【請求項８】
記録媒体に対して画像データを記録する記録工程と、
一つのグループに割り当てる複数の前記記録媒体を決定する決定工程と、
前記記録媒体を識別するためのＩＤ情報を含み、前記グループにおける前記記録媒体の順序を示す順序情報を生成する生成工程と、
前記ＩＤ情報に基づいて前記グループの記録媒体を識別する識別工程と、
前記識別工程の識別結果と前記生成工程により生成された順序情報とに基づいて、前記グループの複数の記録媒体それぞれに対し、前記グループにおける順序を示す情報と前記グループの記録媒体の数を示す情報を記録するよう前記記録工程を制御する制御工程とを備えることを特徴とする記録方法。
【請求項９】
装着された記録媒体に対して画像データを記録する記録工程と、
複数の前記記録媒体を一つのグループとして扱うための連続記録モードを設定する設定工程と、
前記設定工程により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成工程と、
前記グループの記録媒体を識別する識別工程と、
前記識別工程の識別結果と前記生成工程により生成された順序情報とに基づいて、前記グループの複数の記録媒体それぞれに対し、前記グループにおける装着順序を示す情報と前記グループの記録媒体の数を示す情報とを記録するよう前記記録工程を制御する制御工程とを備えることを特徴とする記録方法。
【請求項１０】
記録媒体に対して画像データを記録する記録工程と、
一つのグループに割り当てる複数の前記記録媒体を決定する決定工程と、
前記記録媒体を識別するためのＩＤ情報を含み、前記グループにおける前記記録媒体の順序を示す順序情報を生成する生成工程と、
前記ＩＤ情報に基づいて前記グループの記録媒体を識別する識別工程と、
前記識別工程の識別結果と前記生成工程により生成された順序情報とに基づいて、前記グループの複数の記録媒体それぞれに対し、前記グループにおける順序を示す情報と前記グループの記録媒体の数を示す情報を記録するよう前記記録工程を制御する制御工程とをコンピュータに実行させることを特徴とするプログラム。
【請求項１１】
装着された記録媒体に対して画像データを記録する記録工程と、
複数の前記記録媒体を一つのグループとして扱うための連続記録モードを設定する設定工程と、
前記設定工程により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成工程と、
前記グループの記録媒体を識別する識別工程と、
前記識別工程の識別結果と前記生成工程により生成された順序情報とに基づいて、前記グループの複数の記録媒体それぞれに対し、前記グループにおける装着順序を示す情報と前記グループの記録媒体の数を示す情報とを記録するよう前記記録工程を制御する制御工程とをコンピュータに実行させることを特徴とするプログラム。
【請求項１２】
請求項１０または１１に記載のプログラムを格納したことを特徴とするコンピュータ読み取り可能な記録媒体。
【発明の詳細な説明】
【技術分野】
【０００１】
本発明は記録装置及び記録方法に関し、特に、複数の記録媒体に対して画像信号を記録するために用いて好適な技術に関する。
【背景技術】
【０００２】
従来、被写体を撮影して磁気テープやメモリカードなどに記録するビデオカメラが知られている。また、近年では、撮影した画像信号をＤＶＤなどの光ディスクやハードディスクなどに記録するディスクビデオカメラも登場している（例えば、特許文献１を参照）。
【０００３】
このうち、ＤＶＤに対して画像信号を記録再生するビデオカメラでは、標準的な画質で、一枚のディスクに対して３０分程度の画像、音声信号を記録することができる。そこで、このようなディスクビデオカメラを用いて、結婚式や運動会など、比較的長時間にわたるイベントを撮影する場合、一枚のディスクでは記録し切れないため、複数のディスクにわたって記録することになる。
【０００４】
このように、一連のイベントを複数のディスクに記録した場合に、前記特許文献に記載の発明においては、再生時の利便性を考慮している。そして、記録媒体をファイナライズ処理する際にその記録媒体に含まれる各チャプタに関する情報をトップメニューに反映させるようにしている。
【０００５】
【特許文献１】特開２００５−７９８２３号公報
【発明の開示】
【発明が解決しようとする課題】
【０００６】
しかしながら、特許文献１に記載されている発明のように、記録媒体のファイナライズ処理の際にその記録媒体に含まれる各チャプタに関する情報をトップメニューに反映させるだけでは、以下のような問題点があった。
【０００７】
すなわち、複数のディスクにわたって撮影された画像を再生する場合には、一連のイベントを記録した複数のディスクのうちの何番目のディスクであるのかが分からない問題点があった。
【０００８】
そのため、ユーザは、撮影したイベントを最初から再生したい場合であっても、結局全てのディスクに記録された画像を再生し、その内容を確認した後、先頭のディスクから再生を開始しなければならない問題点があった。
本発明は前述の問題点に鑑み、一連のイベントに係わる画像データを複数の記録媒体に亘って記録した場合にも、各記録媒体の順序を容易に確認できるようにすることを目的としている。
【課題を解決するための手段】
【０００９】
本発明の記録装置は、記録媒体に対して画像データを記録する記録手段と、一つのグループに割り当てる複数の前記記録媒体を決定する決定手段と、前記記録媒体を識別するためのＩＤ情報を含み、前記グループにおける前記記録媒体の順序を示す順序情報を生成する生成手段と、前記ＩＤ情報に基づいて前記グループの記録媒体を識別する識別手段と、前記識別手段の識別結果と前記生成手段により生成された順序情報とに基づいて、前記グループの複数の記録媒体それぞれに対し、前記グループにおける順序を示す情報と前記グループの記録媒体の数を示す情報を記録するよう前記記録手段を制御する制御手段とを備えることを特徴とする。
また、本発明の記録装置の他の特徴とするところは、装着された記録媒体に対して画像データを記録する記録手段と、複数の前記記録媒体を一つのグループとして扱うための連続記録モードを設定する設定手段と、前記設定手段により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成手段と、前記グループの記録媒体を識別する識別手段と、前記識別手段の識別結果と前記生成手段により生成された順序情報とに基づいて、前記グループの複数の記録媒体それぞれに対し、前記グループにおける装着順序を示す情報と前記グループの記録媒体の数を示す情報とを記録するよう前記記録手段を制御する制御手段とを備えることを特徴とする。
【００１０】
本発明の記録方法は、記録媒体に対して画像データを記録する記録工程と、一つのグループに割り当てる複数の前記記録媒体を決定する決定工程と、前記記録媒体を識別するためのＩＤ情報を含み、前記グループにおける前記記録媒体の順序を示す順序情報を生成する生成工程と、前記ＩＤ情報に基づいて前記グループの記録媒体を識別する識別工程と、前記識別工程の識別結果と前記生成工程により生成された順序情報とに基づいて、前記グループの複数の記録媒体それぞれに対し、前記グループにおける順序を示す情報と前記グループの記録媒体の数を示す情報を記録するよう前記記録工程を制御する制御工程とを備えることを特徴とする。
また、本発明の記録方法の他の特徴とするところは、装着された記録媒体に対して画像データを記録する記録工程と、複数の前記記録媒体を一つのグループとして扱うための連続記録モードを設定する設定工程と、前記設定工程により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成工程と、前記グループの記録媒体を識別する識別工程と、前記識別工程の識別結果と前記生成工程により生成された順序情報とに基づいて、前記グループの複数の記録媒体それぞれに対し、前記グループにおける装着順序を示す情報と前記グループの記録媒体の数を示す情報とを記録するよう前記記録工程を制御する制御工程とを備えることを特徴とする。
【００１１】
本発明のプログラムは、記録媒体に対して画像データを記録する記録工程と、一つのグループに割り当てる複数の前記記録媒体を決定する決定工程と、前記記録媒体を識別するためのＩＤ情報を含み、前記グループにおける前記記録媒体の順序を示す順序情報を生成する生成工程と、前記ＩＤ情報に基づいて前記グループの記録媒体を識別する識別工程と、前記識別工程の識別結果と前記生成工程により生成された順序情報とに基づいて、前記グループの複数の記録媒体それぞれに対し、前記グループにおける順序を示す情報と前記グループの記録媒体の数を示す情報を記録するよう前記記録工程を制御する制御工程とをコンピュータに実行させることを特徴とする。
また、本発明のプログラムの他の特徴とするところは、装着された記録媒体に対して画像データを記録する記録工程と、複数の前記記録媒体を一つのグループとして扱うための連続記録モードを設定する設定工程と、前記設定工程により前記連続記録モードが設定されてから前記連続記録モードの設定が解除されるまでの間に装着された複数の前記記録媒体を一つのグループに割り当て、前記グループにおける前記記録媒体の装着順序を示す順序情報を生成する生成工程と、前記グループの記録媒体を識別する識別工程と、前記識別工程の識別結果と前記生成工程により生成された順序情報とに基づいて、前記グループの複数の記録媒体それぞれに対し、前記グループにおける装着順序を示す情報と前記グループの記録媒体の数を示す情報とを記録するよう前記記録工程を制御する制御工程とをコンピュータに実行させることを特徴とする。
【発明の効果】
【００１２】
本発明によれば、一つのグループを構成する複数のディスクの記録順序を容易に認識することが可能となる。
【発明を実施するための最良の形態】
【００１３】
（第１の実施形態）
以下、図面を参照しながら、本発明の実施形態について説明する。
図１は、カメラ一体型の動画記録再生装置（ビデオカメラ）１００の構成を表すブロック図である。カメラの起動時には、フラッシュメモリ１１３内に圧縮されたプログラムは、プログラムメモリ１１２に解凍／展開される。ＣＰＵ１１１は、プログラムメモリ１１２内のプログラムに従い、各種の制御動作を行う。
【００１４】
被写体からの光は、レンズ群１０１を通して撮像素子１０２に結像される。撮像素子１０２に結像された被写体象は光電変換されて、電気信号となる。撮像素子１０２からの光電変換画像は、所定の周期で読み出され、カメラ信号処理部１０３にて、標準的な画像信号になるように信号処理され、標準的なデジタル動画像として、画像メモリ１０４に一時的に蓄積される。
【００１５】
また、カメラ信号処理部１０３からのデジタル動画像はディスプレイ１０６へと送られ、現在撮像中の動画像が表示される（撮影待機状態）。撮影待機状態で、操作スイッチ１０５に含まれる撮影ボタン（不図示）を押すことで撮影が開始される。
【００１６】
撮影が開始されると、画像メモリ１０４に一時的に蓄積された動画像データは、動画符号化復号化部１０８にて符号化され、フォーマット化回路１１５に送られる。フォーマット化回路１１５は、符号化された動画像データを記録に適した形式へ変換し、ショックプルーフメモリ１１６に送る。
【００１７】
ショックプルーフメモリ１１６に一定量のデータが蓄積されると、インターフェース１１０によりショックプルーフメモリ１１６からデータを読み出してＤＶＤディスク１０９に記録する。操作スイッチ１０５に含まれる撮影ボタンが再度押されると記録終了となり、１カットの動画クリップの記録が終了する。
【００１８】
一方、前述の撮影待機状態で、静止画撮影ボタンが押されると、画像メモリ１０４に蓄積された動画像データのうちの一画面が静止画符号化復号化回路１０７に送られる。静止画符号化復号化回路１０７はこの一画面の画像データを静止画像として符号化し、ショックプルーフメモリ１１６に送る。
【００１９】
インターフェース１１０はショックプルーフメモリ１１６に蓄積された静止画像データを読み出してＤＶＤディスク１０９に記録する。なお、図１において１１４は画像処理回路、１１７はデータバスである。
【００２０】
また、ユーザは、操作スイッチ１０５により、予め設けられた複数の画質モードの中から記録する動画像の画質を任意に選ぶことができる。本実施形態では、標準モードと高画質モードの二つの画質モードを設けている。標準モードは、高画質モードよりも記録する動画像データのデータレートが低い。
【００２１】
そのため、標準モードでは高画質モードよりも一枚のディスクに長時間動画像を記録することができる。設定された画質モードの情報はフラッシュメモリ１１３に記憶され、電源がオフになってもフラッシュメモリ１１３に保持される。
【００２２】
本実施形態では、ＤＶＤディスク１０９としてＤＶＤ−ＲＷディスクを使用し、記録フォーマットとして、ＤＶＤビデオフォーマット、またはＤＶＤビデオレコーディング（ＶＲ）フォーマットを用いる。これらのディスクは、不図示のイジェクト機構により、ビデオカメラ１００に対して装着、排出される。ユーザは、画像データが記録されていないディスクを新たに装着した場合、ビデオフォーマットとＶＲフォーマットの何れのフォーマットで記録するかを問い合わせる。
【００２３】
ユーザは操作スイッチ１０５により、記録フォーマットとしてＤＶＤビデオフォーマットとＶＲフォーマットの何れかを選択することができる。設定された記録フォーマットの情報はフラッシュメモリ１１３に記憶され、電源がオフになってもフラッシュメモリ１１３に保持される。また、ディスク交換時には、新たにディスクが装着されると、ディスク上に記録された管理情報を検出し、ビデオフォーマットとＶＲフォーマットの何れで記録されたディスクであるかを識別する。
【００２４】
次に、図１のビデオカメラ１００における連続記録モードの動作について、図２のフローチャートを用いて説明する。
本実施形態では、例えば、あるイベントなどで撮影した画像を複数のディスクに記録した場合に、これら複数のディスクを一つのグループとして管理するための連続記録モードを設けている。
【００２５】
ユーザは、操作スイッチ１０５における連続記録モードスイッチを操作することで、この連続記録モードを設定することができる。本実施形態では、ＤＶＤ−Ｒディスク、またはＤＶＤ−ＲＷディスクにＤＶＤビデオフォーマットで画像データを記録した場合について説明する。
【００２６】
ＤＶＤビデオフォーマットで記録したディスクを他のＤＶＤプレーヤで再生したい場合、ファイナライズ処理が必要となる。そこで、本実施形態では、連続記録モードスイッチが操作されてから、後述の様に、ファイナライズの指示までの間に装着されて画像データが記録された複数のディスクを一つのグループに割り当てる。
【００２７】
図２は、連続記録モードにおけるビデオカメラ１００の処理を示すフローチャートである。なお、図２の処理は、ＣＰＵ１１１がビデオカメラ１００の各部を制御することにより実現される。
【００２８】
電源オンの状態で、連続記録モードスイッチが操作されると、図２のフローチャートで示した処理手順で処理スタートすると、先ず、ステップＳ２０１にて、連続記録モードのための準備処理を実行する。図７は、ステップＳ２０１で行われる準備処理手順の一例を示すフローチャートである。
【００２９】
まず、インターフェース１１０によりＤＶＤディスク１０９の決められた領域に記録されたディスクの固有ＩＤを再生し、フラッシュメモリ１１３に書き込む（ステップＳ７０１）。次に、フラッシュメモリ１１３内に、連続記録モードにて記録されたディスクの順序を示す順序情報が保存されているか否かを確認する（ステップＳ７０２）。連続記録モードスイッチが操作された後の最初のディスクであった場合、順序情報が保存されていないため、ステップＳ７０１にて検出した固有ＩＤを用いて順序情報を生成し、フラッシュメモリ１１３に格納する（ステップＳ７０７）。
【００３０】
図８は順序情報を示す図であり、連続記録モード設定時における順序情報の例を８０１に示す。８０１では、順序を示す番号と、その順序に対応するディスクの固有ＩＤ、ここではＡＢＣＤ０００１とを順序情報として保存している。
【００３１】
一方、ステップＳ７０２において、順序情報が既にフラッシュメモリ１１３に保存されている場合には、ステップＳ７０１にて検出した固有ＩＤが順序情報に登録（記載）されているか否かを判別する（ステップＳ７０３）。固有ＩＤが順序情報に登録されていない場合、新たなディスクが装着されたと判断し、この固有ＩＤを順序情報に追加して（ステップＳ７０４）、順序情報の内容を更新し、ステップＳ７０５に進む。
【００３２】
図８の８０２は、２枚目のディスクが装着された場合に生成（更新）された順序情報の例を示している。ここでは、２番目のディスクの固有ＩＤがＥＦＧＨ０００２となっている。同様に、８０３は３枚目のディスクが装着された場合に生成された順序情報の例を示している。ここでは、３番目のディスクの固有ＩＤがＩＪＫＬ０００３となっている。このように、順序情報は、ディスクの順序を示す数値と、ディスクのＩＤ情報とを含む。
【００３３】
ステップＳ７０３において、固有ＩＤが順序情報に登録済みの場合、ステップＳ７０５に進み、ディスプレイ１０６に対し、連続記録モードを示す情報を表示する。図５は連続記録モード時に表示する情報を示しており、現在のディスクが１枚目のディスクの場合、５０１のように、何枚目のディスクかを示す情報を表示する。
【００３４】
更に、ステップＳ７０６にて、ＤＶＤディスク１０９のファイナライズ時に使用するための管理情報を生成し、フラッシュメモリ１１３に格納する。この他、連続記録モード設定直後、或いは、新たなディスクが装着された場合には、後述の様に、連続記録モードのための動画像データを記録するための領域をＤＶＤディスク１０９上に確保する。
【００３５】
このように準備処理が終了すると、次に、操作スイッチ１０５により記録指示があったか否かを判別する（ステップＳ２０２）。この判別の結果、記録開始の指示があると、ＤＶＤディスク１０９に対し、前述の如く生成した動画像データを記録する（ステップＳ２０３）。このとき、フラッシュメモリ１１３に記憶された記録フォーマット、画質モードに従って画像データをＤＶＤディスク１０９に記録する。なお、ステップＳ２０２の判別の結果、記録開始の指示がんかった場合にはステップＳ２１０にジャンプする。
【００３６】
そして、ＤＶＤディスク１０９に記録された管理情報に基づいてＤＶＤディスク１０９の記録残量を検出し、このディスク残量が所定量以下となったか否かを判別する（ステップＳ２０４）。なお、ステップＳ２０４においては、現在の画質モード（データレート）にてＤＶＤディスク１０９に記録可能な残り時間が決められた時間以下となるようなデータ量を所定量とする。したがって、このときに比較する所定量は画質モードによって変わることになるが、何れの画質モードが設定されていても、一律にディスクの残量が一定量以下となったことを判別するようにしてもよい。
【００３７】
ステップＳ２０４の判別の結果、ディスク残量が所定量以下となると、残量が少なくなった旨を示す警告情報をディスプレイ１０６表示する（ステップＳ２０５）。図５の５０２は、１枚目のディスクの記録中に残量が少なくなった場合に表示する警告情報を示している。なお、ステップＳ２０４の判別の結果、ディスク残量が所定量以下ではない場合にはステップＳ２０６にジャンプする。
【００３８】
そして、ＤＶＤディスク１０９の記録残量が無くなったか否かを判別し（ステップＳ２０６）、まだ記録残量が残っている場合、操作スイッチ１０５により記録停止の指示があるか否かを判別する（ステップＳ２０７）。記録停止の指示がない場合にはステップＳ２０３に戻って記録を続ける。
【００３９】
ステップＳ２０７で記録停止の指示があった場合、ＤＶＤディスク１０９への記録を停止する（ステップＳ２０８）。そして、フラッシュメモリ１１３に格納されたＤＶＤディスク１０９の管理情報を更新する（ステップＳ２０９）。
【００４０】
次に、操作スイッチ１０５によりファイナライズの指示があったか否かを判別し、ファイナライズ指示があった場合、ステップＳ２１５に移行して連続記録モードにおけるファイナライズ処理を実行する（ステップＳ２１０）。このファイナライズ処理については後述する。
【００４１】
ステップＳ２１０の判別の結果、ファイナライズ指示が無い場合、操作スイッチ１０５によりＤＶＤディスク１０９の排出指示があったか否かを判別する（ステップＳ２１１）。この判別の結果、ディスク排出指示があった場合には、ＤＶＤディスク１０９をビデオカメラ１００から排出する（ステップＳ２１２）。このとき、現在のディスクの記録残量が無かった場合には、例えば図５の５０２に示すように、次のディスクの装着を指示する警告情報をディスプレイ１０６に表示してもよい。なお、ステップＳ２１１の判別の結果、ディスク排出指示がなかった場合にはステップＳ２１４にジャンプする。
【００４２】
次に、新たにＤＶＤディスク１０９が装着されたか否かを判別し、新たにＤＶＤディスク１０９が装着された場合にはステップＳ２０１に戻って準備処理を実行する（ステップＳ２１３）。
また、ディスク排出指示が無く、また、ディスク排出後新たなディスクが装着されていない場合には、操作スイッチ１０５により電源オフの指示があったか否かを判別する（ステップＳ２１４）。ここで、電源オフの指示があった場合には、現在連続記録モード中であることを示す情報をフラッシュメモリ１１３に格納した後、電源をオフする。一方、電源オフの指示が無い場合には、ステップＳ２０２に戻る。
【００４３】
また、ステップＳ２０６にて、画像データの記録中にＤＶＤディスク１０９の記録残量が無くなったことを検出した場合、ＤＶＤディスク１０９への記録を停止する（ステップＳ２１６）。そして、フラッシュメモリ１１３に格納されたＤＶＤディスク１０９の管理情報を更新し（ステップＳ２１７）、ステップＳ２１２に移行してＤＶＤディスク１０９を排出する。
【００４４】
このように、図２に示した連続記録モードによって複数のディスクに対して画像データを記録した場合、各ディスクの記録順序、或いは装着順序と、ディスクの固有ＩＤを対応づけた順序情報が生成され、フラッシュメモリ１１３に格納される。
【００４５】
次に、ステップＳ２１５におけるファイナライズ処理について説明する。
例えば、連続記録モードで３枚のディスクに対して画像データを記録した後、操作スイッチ１０５によりファイナライズの指示があった場合について説明する。
【００４６】
なお、ファイナライズ処理は、数分から数十分の時間がかかる場合がある。そこで、本実施形態では、ファイナライズ指示があった場合に、ファイナライズ処理を完了するまでに必要なバッテリ残量が残っているか否かを判別し、バッテリ容量不足の場合、図５の５０３に示す警告情報を表示することにする。
【００４７】
図４は、連続記録モードにて３枚のディスクに亘って画像データを記録した場合の、各ディスク上の記録イメージを示す図である。
図４（ａ）の４０１はＤＶＤディスク１０９の先頭から終端までの記録領域を示す図である。４０１ａは光ビームのパワー調整用の領域である。４０１ｂは管理情報記録領域である。４０１ｃは画像データや音声データなどのユーザデータの記録領域である。４０１ｄはディスク終端部に設けられた管理情報領域である。
【００４８】
また、４０２〜４０４は、ファイナライズ処理の前における、連続記録モードで記録された３枚のディスクに記録されたデータの様子を示している。
ここで、１番目のディスク４０２の領域４０２ａには、連続記録モードを設定した際に記録された管理情報が記録される。また、＊１〜＊３の動画データ４０２ｂ、４０２ｃ、４０２ｄが記録される。
【００４９】
また、２番目のディスク４０３には、＊４、＊５の二つの動画データ４０３ａ、４０３ｂが記録されている。また３番目のディスク４０４には＊６の一つの動画データ４０４ａが記録されている。
図３はファイナライズ処理を示すフローチャートである。本実施形態では、連続記録モードが設定された後、ファイナライズ指示があると、一つのグループに割り当てる複数のディスクを決定することになる。図３の処理は、ＣＰＵ１１１が各部を制御することにより実行される。
【００５０】
図３において、ファイナライズ処理の指示があると、ＤＶＤメニューの作成処理を実行する。
まず、ＤＶＤメニューにて用いるＤＶＤタイトル名をユーザが入力する（ここでは「運動会」と入力されたことにする）（ステップＳ３０１）。
次に、現在装着されているディスクの固有ＩＤ情報（図２の準備処理にて検出されている）と、フラッシュメモリ１１３に保持されている順序情報とに基づいて、現在のディスクが何番目のディスクであるかを識別する。
【００５１】
そして、この識別結果に基いて、画像処理回路１１４、動画符号化復号化部１０８により、現在のディスクの前、または後のディスクを示す動画データを生成する（ステップＳ３０２）。例えば、３番目のディスクをファイナライズ処理している場合には、「２番目のディスクを再生してください」という文字情報を示す動画データを生成する。また、２番目のディスクを処理している場合には、「１番目のディスクを再生してください」、「３番目のディスクを再生してください」という文字情報を示す動画データを生成する。
【００５２】
次に、現在のディスクの固有ＩＤと順序情報と基づいて、メニューデータを生成する（ステップＳ３０３）。具体的には、現在のディスクに記録されている動画データのサムネイルと、現在のディスクの前、或いは後のディスクを示すサムネイル、及びＳ３０１で入力したタイトルからなるメニュー画面の画像データを生成する。更に、各サムネイルと記録された動画データを対応づけるための情報もメニューデータとして生成する。
【００５３】
更に、本実施形態では、今回の連続記録モードで動画像データが記録されたディスクの総数と、その中で、現在のディスクが何番目のディスクであるかということを示す文字情報をメニュー画面として生成する。
【００５４】
次に、生成したＤＶＤメニューデータと動画データ、及び、ディスクに記録されたデータを管理するための管理情報をＤＶＤディスク１０９の決められた領域に記録する（ステップＳ３０４）。なお、ここで各データを記録する領域は、図４に示した通りである。
【００５５】
一つのディスクに対する以上の処理が完了すると、このディスクの固有ＩＤをファイナライズ処理済みのディスクＩＤとしてフラッシュメモリ１１３に格納する。そして、フラッシュメモリ１１３に格納された順序情報に基づいて、連続記録モードで記録されたディスクのうち、まだファイナライズ処理済でないディスクが残っているか否かを判別する（ステップＳ３０５）。ファイナライズ処理済みでないディスクが残っていない場合、順序情報と、ファイナライズ処理済のディスクＩＤをフラッシュメモリ１１３から消去して処理を終了する。
【００５６】
また、ファイナライズ処理済でないディスクが残っている場合、フラッシュメモリ１１３に格納された順序情報に基づいて、残りのディスク枚数を検出し、残りディスクの情報をディスプレイ１０６に表示する（ステップＳ３０６）。
【００５７】
そして、ディスクの排出指示を待ってディスクを排出し（ステップＳ３０７、ステップＳ３０８）、別のディスクが装着されるのを待つ（ステップＳ３０９）。そして、新たにディスクが装着されると、このディスクの固有ＩＤを検出する（ステップＳ３１０）。そして、検出した固有ＩＤがフラッシュメモリ１１３に保持された順序情報に含まれているか否か、及び、既にファイナライズ処理済のディスクであるかを判別する（ステップＳ３１１）。
【００５８】
ステップＳ３１１で検出した固有ＩＤが順序情報に含まれていない場合、或いは、このディスクが既にファイナライズ処理済であった場合には、図５の５０４に示す警告表示をディスプレイ１０６に表示し（ステップＳ３１２）、ステップＳ３０９に戻る。また、装着されたディスクが順序情報に含まれており、且つ、ファイナライズ処理済でなかった場合、ステップＳ３０２に戻り、前述の処理を実行する。
【００５９】
このように、連続記録モードで記録された全ディスクのファイナライズが終わった状態のディスクイメージを図４（ｂ）に示す。図４（ｂ）において、４０２〜４０４はそれぞれ、ファイナライズ処理の後における、連続記録モードで記録された３枚のディスクに記録されたデータの様子を示している。
【００６０】
ファイナライズ処理において、領域４０２ｅ，４０２ｇ，４０３ｃ，４０３ｅ，４０４ｂ，４０４ｅにはそれぞれ管理情報Ｆが記録される。また、領域４０２ｆ、４０３ｄ、４０４ｃにはそれぞれ、前または後のディスクを示す動画データが記録される。また、４０４ｄには、ＤＶＤビデオ規格に従うダミーデータが記録される。
【００６１】
図６は、このように連続記録モードで記録され、ファイナライズ処理された３枚のディスクのメニュー画面を示す図である。これは、それぞれのディスクをＤＶＤプレーヤにて再生したときに表示されるメニュー画面である。
【００６２】
図６に示すように、ユーザが入力したタイトル「運動会」がメニュー画面に表示される。また、６０１は１枚目のディスクのメニュー画面であり、ディスクに記録された三つの動画シーンのサムネイル＊１〜＊３と、次のディスクを示すサムネイルが表示される。ここで、動画のサムネイル＊１〜＊３の何れかを選択して再生を指示した場合、各シーンの動画データが再生される。
【００６３】
また、次のディスクを示すサムネイル「ＤＩＳＣ２」を選択すると、このサムネイルに対応する動画データが、図４（ｂ）の４０２ｆから再生され、例えば、「ＤＩＳＣ２を挿入してください」という文字が再生される。
【００６４】
更に、図６のメニュー画面では、連続記録モードで記録された全ディスクの枚数と、その中の順序を示す付加情報が表示されている。例えば、１番目のディスクでは、６０１に示すように、「１／３」と表示される。これにより、ユーザは、タイトル「運動会」として連続記録モードで記録されたディスクが全部で３枚あり、このディスクはそのうち１番目のディスクであることが容易に理解できる。
【００６５】
なお、ここでは動画データを記録していたが、これは、「ＤＩＳＣ２を挿入してください」という文字列を表示する静止画でもよい。また、ディスクのメーカー名などの情報を検出し、ステップＳ７０１にてディスクの固有ＩＤと共にフラッシュメモリ１１３に保持しておき、これをファイナライズ時にメニュー画面に変換してディスクに記録しておいてもよい。さらに、ディスクＩＤそのものもディスクの製造番号やメーカーなど複数の情報を組み合わせた形で特定するようにしてもよい。
【００６６】
このように、本実施形態によれば、関連した画像を複数のディスクにわたって記録した場合に、これら複数のディスクを一つのグループに割り当て、グループ内の順序を示す情報を各ディスクに記録している。
【００６７】
そのため、各ディスクのメニューを見るだけで、このグループの全ディスク数と、ディスク順序を容易に認識することが可能となる。なお、本実施形態では、ＤＶＤビデオモードで画像データを記録した場合に、連続記録モードを設定後、ファイナライズ処理の指示までの間に動画データを記録したディスクを一つのグループとして扱っていた。
【００６８】
しかしながら、ＶＲモードではファイナライズ処理が無いので、ファイナライズ処理の指示ではなく、連続記録モードの解除を指示することで、連続記録モードによるグループを決定する。そして、グループ内のディスクを順次装着し、各ディスクに対し、グループの全ディスク数とグループ中の順序を示す情報を記録する。
【００６９】
また、本実施形態では、ファイナライズの際にＤＶＤタイトル名をユーザが入力する構成だったが、これ以外にも、例えば、連続記録モード設定時に今回の連続記録モードにより記録するディスクグループの名前を入力してもよい。
【００７０】
また、本実施形態では、ＤＶＤなどの光ディスクに対して画像データを記録再生するビデオカメラについて説明したが、光ディスク以外にも、メモリカードや磁気ディスクなどの記録媒体を用いた場合にも同様に本発明を適用可能である。
【００７１】
例えば、メモリカードでは、ＤＶＤメニュー画面が無いので、カードの管理ファイル内に順序情報を格納しておき、再生時に、この順序情報に基づいてグループ内の順序とグループのカードの総数を表示してもよい。
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７２】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００７３】
なお、本発明は、前述した実施形態の機能を実現するソフトウェアのプログラム（実施形態では図２、図３及び図７に示すフローチャートに対応したプログラム）を、システムあるいは装置に直接供給されてもよい。あるいは遠隔から供給し、そのシステムあるいは装置のコンピュータが前記供給されたプログラムコードを読み出して実行することによっても達成される場合を含む。
【００７４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７５】
その場合、プログラムの機能を有していれば、オブジェクトコード、インタプリタにより実行されるプログラム、ＯＳに供給するスクリプトデータ等の形態であってもよい。
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００７６】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００７７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００８０】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８１】
【図１】実施形態におけるビデオカメラの構成を表すブロック図である。
【図２】連続記録モードの動作を示すフローチャートである。
【図３】ファイナライズ処理を示すフローチャートである。
【図４ａ】ディスクの記録状態を示し、ＤＶＤディスクの先頭から終端までの記録領域を示す図である。
【図４ｂ】ディスクの記録状態を示し、連続記録モードで記録された全ディスクのファイナライズが終わった状態のディスクイメージを示す図である。
【図５】実施形態のビデオカメラにおいて表示される情報を示す図である。
【図６】実施形態により生成された各ディスクのタイトルメニューの一例を示す図である。
【図７】ディスク装着に伴う準備処理を示すフローチャートである。
【図８】順序情報の一例を示す図である。
【符号の説明】
【００８２】
１００  カメラ一体型の動画記録再生装置（ビデオカメラ）
１０１  レンズ群
１０２  撮像素子
１０３  カメラ信号処理部
１０４  画像メモリ
１０５  操作スイッチ
１０６  ディスプレイ
１０７  静止画符号化復号化回路
１０８  動画符号化復号化部
１０９  ＤＶＤディスク
１１０  インターフェース
１１１  ＣＰＵ
１１２  プログラムメモリ
１１３  フラッシュメモリ
１１４  画像処理回路
１１５  フォーマット化回路
１１６  ショックプルーフメモリ
１１７  データバス
【図１】
2007329895.tif 000003
【図２】
2007329895.tif 000004
【図３】
2007329895.tif 000005
【図４ａ】
2007329895.tif 000006
【図４ｂ】
2007329895.tif 000007
【図５】
2007329895.tif 000008
【図６】
2007329895.tif 000009
【図７】
2007329895.tif 000010
【図８】
2007329895.tif 000011